(57)【特許請求の範囲】
【請求項１】
並列に配置された板状の複数のフィンおよび前記複数のフィンを貫通して冷媒配管に接続された伝熱管を有する室外熱交換器と、
空気調和装置の室外機の外装パネルの一部を構成し、前記室外熱交換器の側縁部に隣接した背面パネル部と、
前記背面パネル部から前記室外熱交換器が配置された当該空気調和装置の室外機の背面に延伸され、前記複数のフィンのうち一部のフィンにて前記室外熱交換器の前記側縁部側での配管接合によって生じた変色箇所を覆うフィン被覆部と、
前記フィン被覆部に形成され、当該空気調和装置の室外機の背面方向に突出させた突出部と、
前記突出部に形成され、前記室外熱交換器に対して空気を通風可能とする通気口と、
を備えた空気調和装置の室外機。
【請求項２】
前記通気口は、前記フィン被覆部の鉛直方向に沿って複数個所に分けて形成された請求項１に記載の空気調和装置の室外機。
【請求項３】
前記突出部は、前記フィン被覆部の鉛直方向の上端部と下端部とにわたって連続して線状突出部に形成された請求項１または２に記載の空気調和装置の室外機。
【請求項４】
前記フィン被覆部は、前記背面パネル部と一体化されて当該空気調和装置の室外機の外装パネルの一部を構成する請求項１〜３のいずれか１項に記載の空気調和装置の室外機。
【請求項５】
前記フィン被覆部および前記背面パネル部は、当該空気調和装置の室外機の外装パネルの一部を構成する側面パネル部と一体化されて上面視Ｌ字状に形成された外装パネル部品に形成された請求項４に記載の空気調和装置の室外機。
【請求項６】
前記フィン被覆部は、前記室外熱交換器を固定する固定部を有する請求項１〜５のいずれか１項に記載の空気調和装置の室外機。
【発明の詳細な説明】
【技術分野】
【０００１】
本発明は、一部のフィンにて配管接合によって変色箇所を有する空気調和装置の室外機に関する。
【背景技術】
【０００２】
従来の空気調和装置の室外機では、室外熱交換器の機械室側である一方の側縁部にて、冷媒配管あるいは伝熱管といった配管がろう付け接合されていた。ろう付け接合では、バーナーの火炎により、室外熱交換器を構成する通常シルバー色である複数のアルミフィンのうち機械室側の一部のフィンが黒っぽく変色した変色箇所が生じていた。この一部のフィンの変色箇所は、空気調和装置の室外機の露出する背面側に位置していた。しかし、一部のフィンの変色箇所が露出していても、目立たなかった。そのため、一部のフィンの変色箇所に対する外観上の措置は、取られていなかった。
【先行技術文献】
【特許文献】
【０００３】
【特許文献１】特開２００４−２０５１０７号公報
【発明の概要】
【発明が解決しようとする課題】
【０００４】
しかし、一部のフィンの変色箇所が、もしユーザーの目に触れた場合には、空気調和装置の室外機の外観上の印象が良くない。従来の空気調和装置の室外機には、背面側にこの一部のフィンの変色箇所を被うパネルが無い構造であった。【０００５】
本発明は、上記課題を解決するためのものであり、複数のフィンのうち一部のフィンにて配管接合によって生じた変色箇所が見え難く、外観上の印象の悪化が低減される空気調和装置の室外機を提供することを目的とする。
【課題を解決するための手段】
【０００６】
本発明に係る空気調和装置の室外機は、並列に配置された板状の複数のフィンおよび前記複数のフィンを貫通して冷媒配管に接続された伝熱管を有する室外熱交換器と、空気調和装置の室外機の外装パネルの一部を構成し、前記室外熱交換器の側縁部に隣接した背面パネル部と、前記背面パネル部から前記室外熱交換器が配置された当該空気調和装置の室外機の背面に延伸され、前記複数のフィンのうち一部のフィンにて前記室外熱交換器の前記側縁部側での配管接合によって生じた変色箇所を覆うフィン被覆部と、前記フィン被覆部に形成され、当該空気調和装置の室外機の背面方向に突出させた突出部と、前記突出部に形成され、前記室外熱交換器に対して空気を通風可能とする通気口と、を備えたものである。
【発明の効果】
【０００７】
本発明に係る空気調和装置の室外機によれば、背面パネル部から室外熱交換器が配置された空気調和装置の室外機の背面に延伸され、複数のフィンのうち一部のフィンにて室外熱交換器の側縁部側での配管接合によって生じた変色箇所を覆うフィン被覆部を備えた。したがって、複数のフィンのうち一部のフィンにて配管接合によって生じた変色箇所が見え難く、外観上の印象の悪化が低減できる。
【図面の簡単な説明】
【０００８】
【図１】本発明の実施の形態１に係る空気調和装置の室外機を示す前面側の斜視図である。
【図２】本発明の実施の形態１に係る空気調和装置の室外機を示す背面側の斜視図である。
【図３】本発明の実施の形態１に係る空気調和装置の室外機を示す部品分解図である。
【図４】本発明の実施の形態１に係る空気調和装置の室外機における室外熱交換器を示す斜視図である。
【図５】本発明の実施の形態１に係る空気調和装置の室外機における室外熱交換器の図４のＡ部を拡大して示す斜視図である。
【図６Ａ】本発明の実施の形態１に係る空気調和装置の室外機における第２外装パネル部品を側面側から見て示す図である。
【図６Ｂ】本発明の実施の形態１に係る空気調和装置の室外機における第２外装パネル部品を背面側から見て示す図である。
【図７】本発明の実施の形態１に係る空気調和装置の室外機における第２外装パネル部品を示す斜視図である。
【図８】本発明の実施の形態１に係る空気調和装置の室外機における第２外装パネル部品の図７のＢ部を拡大して示す斜視図である。
【図９】本発明の実施の形態１に係る空気調和装置の室外機における第２外装パネル部品の上部を背面側から見て示す図である。
【図１０】本発明の実施の形態１に係る空気調和装置の室外機における第２外装パネル部品の上部を示す図９のＹ−Ｙ線での縦断面図である。
【図１１】本発明の実施の形態１に係る空気調和装置の室外機における第２外装パネル部品の上部を示す図９のＺ−Ｚ線での横断面図である。
【図１２】本発明の実施の形態１に係る空気調和装置の室外機の一部を拡大して示す斜視図である。
【図１３】従来技術の空気調和装置の室外機の一部を拡大して示す斜視図である。
【図１４】本発明の実施の形態２に係る空気調和装置の室外機における第２外装パネル部品を示す斜視図である。
【図１５】本発明の実施の形態２に係る空気調和装置の室外機における第２外装パネル部品の図１４のＣ部を拡大して示す斜視図である。
【発明を実施するための形態】
【０００９】
以下、図面に基づいて本発明の実施の形態について説明する。なお、各図において、同一の符号を付したものは、同一のまたはこれに相当するものであり、これは明細書の全文において共通している。さらに、明細書全文に示されている構成要素の形態は、あくまで例示であってこれらの記載に限定されるものではない。
【００１０】
実施の形態１．
（全体構成）
図１は、本発明の実施の形態１に係る空気調和装置の室外機１００を示す前面側の斜視図である。図２は、本発明の実施の形態１に係る空気調和装置の室外機１００を示す背面側の斜視図である。図３は、本発明の実施の形態１に係る空気調和装置の室外機１００を示す部品分解図である。
【００１１】
空気調和装置の室外機１００は、家屋外に設置され、家屋の室内に設置された図示しない室内機との間に冷媒を循環させて室内の冷暖房を行う。
【００１２】
図１〜図３に示すように、空気調和装置の室外機１００は、直方体形状に形成され、外郭を外装パネル１０で覆われている。
【００１３】
外装パネル１０は、本体ベース１１と、第１外装パネル部品１２と、第２外装パネル部品１と、上面パネル部品１３と、を備えている。本体ベース１１は、空気調和装置の室外機１００の底部を構成する。第１外装パネル部品１２は、本体ベース１１に立てて設けられ、空気調和装置の室外機１００の側面部を構成する。第２外装パネル部品１は、第１外装パネル部品１２と同様に本体ベース１１に立てて設けられ、空気調和装置の室外機１００の側面部を構成する。上面パネル部品１３は、空気調和装置の室外機１００の天面部を構成するように第１外装パネル部品１２および第２外装パネル部品１に被せられている。
【００１４】
本体ベース１１は、矩形形状の平板である。上面パネル部品１３は、本体ベース１１の上方に投影されるような本体ベース１１と同様な矩形形状の平板である。
【００１５】
第１外装パネル部品１２は、前面パネル部１２ａと側面パネル部１２ｂとを一体化させて上面視Ｌ字状に形成された板部材である。前面パネル部１２ａには、中央左寄りに開口された吹出口１４が形成されている。吹出口１４には、桟状のグリル１５が全領域で囲むように被せられている。側面パネル部１２ｂには、図示しない複数の吹出口が形成されている。
【００１６】
第２外装パネル部品１は、側面パネル部２に保護カバー１６とサービスパネル１７とを外側に突き出させて被せている。なお、第２外装パネル部品１についての詳細は、後述する。
【００１７】
図３に示すように、外装パネル１０の内部には、プロペラファン１８、室外熱交換器１９、モーター取り付け台２０、セパレーター２１および圧縮機２２などの各部品を有している。これら内部の各部品は、本体ベース１１の底面上に設置されている。
【００１８】
セパレーター２１は、プロペラファン１８および室外熱交換器１９の配置された風路側Ｓ１と、圧縮機２２などの配置された機械室側Ｓ２と、を隔てている。
【００１９】
プロペラファン１８は、モーター取り付け台２０の中央部に取り付けられた図示しないモーターに軸支されている。プロペラファン１８は、上面視Ｌ字状の室外熱交換器１９の前面側に配置されている。プロペラファン１８は、モーターが通電されて回転駆動されることにより動作する。
【００２０】
プロペラファン１８が動作することにより、室外熱交換器１９に空気調和装置の室外機１００の背面側および左側面側から前面側に向かう通風方向に空気が流通する。
【００２１】
空気調和装置の室外機１００に流れる空気は、室外熱交換器１９の背面側および左側面側から流入し、室外熱交換器１９を通過し、プロペラファン１８に送風されて空気調和装置の室外機１００の前面の吹出口１４から流出する。
【００２２】
これにより、たとえば冷房運転中では、室外熱交換器１９内の冷媒は、凝縮器として機能する室外熱交換器１９を通過する空気と熱交換して冷却される。一方、暖房運転中では、室外熱交換器１９内の冷媒は、蒸発器として機能する室外熱交換器１９を通過する空気と熱交換して暖められる。
【００２３】
（室外熱交換器１９）
図４は、本発明の実施の形態１に係る空気調和装置の室外機１００における室外熱交換器１９を示す斜視図である。図４に示すように、室外熱交換器１９は、本体ベース１１上にて、上面視Ｌ字状に形成され、空気調和装置の室外機１００の背面に露出するように配置されている。
【００２４】
室外熱交換器１９は、左右方向および前後方向に間隔を空けて並列に配置された板状の複数のフィン１９ａおよび複数のフィン１９ａを左右方向および前後方向に貫通して上下方向に列をなす図示しない冷媒配管に接続された伝熱管１９ｂを有している。伝熱管１９ｂには、冷媒が流通する。空気は、板状の複数のフィン１９ａの間を通風方向に通風する。
【００２５】
図５は、本発明の実施の形態１に係る空気調和装置の室外機１００における室外熱交換器１９の図４のＡ部を拡大して示す斜視図である。図５に示すように、室外熱交換器１９の機械室側Ｓ２の一方の側縁部１９ｃには、上下方向に列をなす伝熱管１９ｂの端部同士を接続するＵ字管１９ｄが設けられている。Ｕ字管１９ｄは、２つの伝熱管１９ｂの端部同士を接続する。
【００２６】
室外熱交換器１９の機械室側Ｓ２である一方の側縁部１９ｃにおける背面側には、室外熱交換器１９の背面側から突出するサイドプレート１９ｅが取り付けられている。サイドプレート１９ｅは、室外熱交換器１９を第２外装パネル部品１に固定するためにネジ固定用の固定孔１９ｆを有している。
【００２７】
サイドプレート１９ｅが取り付けられた箇所では、Ｕ字管１９ｄあるいは圧縮機２２と繋がる配管がバーナーの火炎でロウ付け接合されている。これにより、通常シルバー色である複数のフィン１９ａのうち一部のフィン１９ａ１には、焼けて黒っぽく変色した変色箇所１９ｇが生じる。図５では、変色箇所１９ｇは、斜線部で示されている。変色箇所１９ｇは、室外熱交換器１９の機械室側Ｓ２である一方の側縁部１９ｃから背面側に所定幅Ｈだけ上下方向に延びている。なお、フィン１９ａは、ここではアルミフィンを例示している。
【００２８】
（第２外装パネル部品１）
図６Ａは、本発明の実施の形態１に係る空気調和装置の室外機１００における第２外装パネル部品１を側面側から見て示す図である。図６Ｂは、本発明の実施の形態１に係る空気調和装置の室外機１００における第２外装パネル部品１を背面側から見て示す図である。図７は、本発明の実施の形態１に係る空気調和装置の室外機１００における第２外装パネル部品１を示す斜視図である。図８は、本発明の実施の形態１に係る空気調和装置の室外機１００における第２外装パネル部品１の図７のＢ部を拡大して示す斜視図である。図９は、本発明の実施の形態１に係る空気調和装置の室外機１００における第２外装パネル部品１の上部を背面側から見て示す図である。図１０は、本発明の実施の形態１に係る空気調和装置の室外機１００における第２外装パネル部品１の上部を示す図９のＹ−Ｙ線での縦断面図である。図１１は、本発明の実施の形態１に係る空気調和装置の室外機１００における第２外装パネル部品１の上部を示す図９のＺ−Ｚ線での横断面図である。図１２は、本発明の実施の形態１に係る空気調和装置の室外機１００の一部を拡大して示す斜視図である。
【００２９】
図７に示すように、第２外装パネル部品１は、板状部材であり、本体ベース１１に立って設けられた外装パネル１０の一部を構成している。
【００３０】
図７に示すように、第２外装パネル部品１は、側面パネル部２と、背面パネル部３と、フィン被覆部４と、を備えている。第２外装パネル部品１は、側面パネル部２、背面パネル部３およびフィン被覆部４が一体化されて上面視Ｌ字状に形成されている。
【００３１】
図６Ａ、図７に示すように、側面パネル部２は、矩形形状であり、空気調和装置の室外機１００の側面部に対応する外装パネル１０の一部を構成している。側面パネル部２は、保護カバー１６とサービスパネル１７とが被せられる開口部２ａ、２ｂが形成されている。
【００３２】
図６Ｂ、図７に示すように、背面パネル部３は、矩形形状であり、空気調和装置の室外機１００の背面部の一部に対応する外装パネル１０の一部を構成している。図１２に示すように、背面パネル部３は、室外熱交換器１９の通風方向の上流側の側縁部１９ｃに隣接している。
【００３３】
図６Ｂ、図７に示すように、フィン被覆部４は、矩形形状であり、背面パネル部３から室外熱交換器１９が配置された空気調和装置の室外機１００の背面に延伸されている。言い換えれば、フィン被覆部４は、背面パネル部３から室外熱交換器１９の背面側に延伸されている。
図１２に示すように、フィン被覆部４は、室外熱交換器１９の側縁部側での配管がロウ付け接合されて生じた変色箇所１９ｇを覆っている。なお、変色箇所１９ｇは、図１２での破線で囲った領域である。このため、図１２では、図５で示した変色箇所１９ｇを表す斜線部がフィン被覆部４に覆われて見えなくなっている。なお、フィン被覆部４は、背面パネル部３と分離した単体部品でもよい。または、フィン被覆部４は、背面パネル部３と一体化され、側面パネル部２と分離した部品でもよい。
【００３４】
図６Ｂ〜図１１に示すように、フィン被覆部４には、室外熱交換器１９に対して空気を通風可能とする通気口５が形成されている。通気口５は、フィン被覆部４の鉛直方向に沿って複数個所に分けて形成されている。通気口５は、上下方向の長さが左右方向の長さよりも長い長穴形状である。隣り合う通気口５の間には、仕切りが形成されている。なお、通気口５は、複数個所ではなく、１箇所に形成されてもよく、数は限定されない。
【００３５】
図６Ｂ〜図１１に示すように、フィン被覆部４は、空気調和装置の室外機１００の背面方向に凸状に突出させた線状突出部６を有している。通気口５は、線状突出部６の背面方向に凸状に突出させた頂部に形成されている。線状突出部６は、フィン被覆部４の鉛直方向の上端部と下端部とにわたって１箇所に連続して形成されている。
【００３６】
線状突出部６は、室外熱交換器１９から離れる方向に凸状に形成される。このため、室外熱交換器１９から最も離れた通気口５の形成されたフィン被覆部４と室外熱交換器１９との間に空間８が生じる。空間８は、通気口５が複数個所に分けて形成され、隣り合う通気口５の間に仕切りが形成されても、フィン被覆部４の鉛直方向の上端部と下端部とにわたる１箇所に仕切りの内側に連続して１つに形成される。
【００３７】
ここで、線状突出部６の形状は、成形時の加工を考慮して、上下左右壁面がやや丸みを帯びた壁面であり、頂部に通気口５が形成された平面部が形成されている。しかし、線状突出部６の形状は、この形状に限られない。線状突出部６の形状は、たとえば、断面半円形状であり、頂部に通気口５が形成されているもの、背面方向にまっすぐ突出する断面四角形状であり、頂部の突出平面に通気口５が形成されているもの、あるいは、断面三角形状であり、頂部に通気口５が形成されているものなどでもよい。
【００３８】
また、フィン被覆部４は、線状突出部６ではなく、通気口５を含む通気口５の周囲を空気調和装置の室外機１００の背面方向に凸状に突出させた突出部を有してもよい。たとえば、突出部は、１箇所の通気口５を含む通気口５の周囲を突出させた形状のもの、あるは、複数箇所の通気口５を含む通気口５の周囲を突出させた形状のものなどであってよい。
【００３９】
図１２に示すように、第２外装パネル部品１は、室外熱交換器１９のサイドプレート１９ｅをネジ固定する固定部である固定孔７を有している。これにより、室外熱交換器１９は、第２外装パネル部品１にネジ固定される。第２外装パネル部品１は、背面パネル部３と一体化されてフィン被覆部４を有している。このため、背面パネル部３から延伸されたフィン被覆部４の側縁部は、サイドプレート１９ｅと接している範囲を超え、室外熱交換器１９の長手方向に延長して破線で囲まれた変色箇所１９ｇに至っている。
【００４０】
（従来技術の構造）
図１３は、従来技術の空気調和装置の室外機２００の一部を拡大して示す斜視図である。図１３に示すように、第２外装パネル部品１の背面パネル部３は、室外熱交換器１９の機械室側Ｓ２である一方の側縁部１９ｃを空気調和装置の室外機１００の外装パネル１０に固定するためのフィン被覆部４よりも小さい固定用延伸部２０４を有していた。固定用延伸部２０４は、ネジ固定されるための固定部である固定孔２０７を有していた。固定用延伸部２０４は、室外熱交換器１９の側縁部１９ｃに背面パネル部３側に突出したサイドプレート１９ｅとネジ固定されていた。
【００４１】
固定用延伸部２０４は、サイドプレート１９ｅの範囲に収まる広さであり、室外熱交換器１９の背面には被さっていなかった。これにより、室外熱交換器１９の通風効率の低下が阻まれていた。そのため、一部のフィン１９ａ１の変色箇所１９ｇが存在する室外熱交換器１９の背面は、露出されていた。よって、ユーザーが従来の空気調和装置の室外機２００を背面側から見た際に、第２外装パネル部品１の背面パネル部３の横側に一部のフィン１９ａ１の変色箇所が存在している状態であった。
【００４２】
（実施の形態１の効果）
実施の形態１によれば、空気調和装置の室外機１００は、並列に配置された板状の複数のフィン１９ａおよび複数のフィン１９ａを貫通して冷媒配管に接続された伝熱管１９ｂを有する室外熱交換器１９を備えている。空気調和装置の室外機１００は、空気調和装置の室外機１００の外装パネル１０の一部を構成し、室外熱交換器１９の側縁部１９ｃに隣接した背面パネル部３を備えている。空気調和装置の室外機１００は、背面パネル部３から室外熱交換器１９が配置された空気調和装置の室外機１００の背面に延伸され、複数のフィン１９ａのうち一部のフィン１９ａ１にて室外熱交換器１９の側縁部１９ｃ側での配管接合によって生じた変色箇所１９ｇを覆うフィン被覆部４を備えている。
【００４３】
この構成によれば、複数のフィン１９ａのうち一部のフィン１９ａ１にて配管接合によって生じた変色箇所１９ｇが見え難く、外観上の印象の悪化が低減できる。
【００４４】
実施の形態１によれば、フィン被覆部４には、室外熱交換器１９に対して空気を通風可能とする通気口５が形成されている。
【００４５】
この構成によれば、フィン被覆部４で覆われた室外熱交換器１９の一部が通気口５を介して通風できる。したがって、室外熱交換器１９のフィン１９ａに風が当たり易く、室外熱交換器１９の通風効率の低下が抑制でき、熱交換効率の低下が抑制できる。
【００４６】
実施の形態１によれば、通気口５は、フィン被覆部４の鉛直方向に沿って複数個所に分けて形成されている。
【００４７】
この構成によれば、隣り合う通気口５の間に仕切りが形成でき、フィン被覆部４に通気口５が形成されても、フィン被覆部４の強度の低下が抑制できる。
【００４８】
実施の形態１によれば、フィン被覆部４は、空気調和装置の室外機１００の背面方向に突出させた線状突出部６を有している。通気口５は、線状突出部６に形成されている。
【００４９】
この構成によれば、線状突出部６は、室外熱交換器１９から離れる方向に凸状に形成される。このため、室外熱交換器１９から最も離れた通気口５の形成されたフィン被覆部４と室外熱交換器１９との間に空間８が生じる。この空間８が形成されることにより、ユーザーが空気調和装置の室外機１００の外側の通気口５から一部のフィン１９ａ１の変色箇所１９ｇを目視しても、一部のフィン１９ａ１の変色箇所１９ｇに陰影が生じ、変色がぼかせる。
【００５０】
実施の形態１によれば、線状突出部６は、フィン被覆部４の鉛直方向の上端部と下端部とにわたって連続して１箇所になるように形成されている。
【００５１】
この構成によれば、線状突出部６は、通気口５の形成されたフィン被覆部４と室外熱交換器１９との間に、フィン被覆部４の鉛直方向の上端部と下端部とにわたる１箇所の空間８を生じさせる。そのため、線状突出部６が形成された室外熱交換器１９の一部は、通気口５を介して鉛直方向の上端部と下端部とにわたって通風できる。したがって、室外熱交換器１９の通風効率の低下がより抑制できる。
【００５２】
また、通気口５が複数個所に分けて形成される場合には、隣り合う通気口５の間に仕切りが形成されても、フィン被覆部４の鉛直方向の上端部と下端部とにわたる１箇所の空間８が仕切りの内側に連続して１つに形成される。したがって、仕切りが形成されても、室外熱交換器１９の通風効率の低下がより抑制できる。
【００５３】
実施の形態１によれば、フィン被覆部４は、背面パネル部３と一体化されて空気調和装置の室外機１００の外装パネル１０の一部を構成している。
【００５４】
この構成によれば、フィン被覆部４は、背面パネル部３と一体化されて１部品化でき、部品点数が削減できると共に、製造時の作成効率および組立効率が向上できる。
【００５５】
実施の形態１によれば、フィン被覆部４および背面パネル部３は、空気調和装置の室外機１００の外装パネル１０の一部を構成する側面パネル部２と一体化されて上面視Ｌ字状に形成された第２外装パネル部品１に形成されている。
【００５６】
この構成によれば、フィン被覆部４は、背面パネル部３および側面パネル部２と一体化されて１部品化でき、部品点数がより削減できると共に、製造時の作成効率および組立効率がより向上できる。
【００５７】
実施の形態１によれば、フィン被覆部４は、室外熱交換器１９を固定する固定孔７を有している。
【００５８】
この構成によれば、背面パネル部３は、室外熱交換器１９が配置された空気調和装置の室外機１００の背面に延伸されていない。そのため、従来では、背面パネル部３は、室外熱交換器１９の機械室側Ｓ２である一方の側縁部１９ｃを室外機２００の外装パネル１０に固定するためのフィン被覆部４よりも小さい固定用延伸部２０４が必要であった。しかし、この構成では、室外熱交換器１９が固定孔２０７により背面パネル部３から室外熱交換器１９が配置された空気調和装置の室外機１００の背面に延伸されたフィン被覆部４に固定できる。したがって、室外熱交換器１９が空気調和装置の室外機１００の外装パネル１０に固定できる。また、従来では必要であった固定用延伸部２０４が削減でき、フィン被覆部４が固定用延伸部２０４を兼ねられる。
【００５９】
なお、たとえばフィン被覆部４が単体部品であれば、フィン被覆部４が固定孔７により室外熱交換器１９に固定できる。
【００６０】
実施の形態２．
図１４は、本発明の実施の形態２に係る空気調和装置の室外機１００における第２外装パネル部品１を示す斜視図である。図１５は、本発明の実施の形態２に係る空気調和装置の室外機１００における第２外装パネル部品１の図１４のＣ部を拡大して示す斜視図である。実施の形態２では、その特徴部分だけを説明し、実施の形態１と同様なその他の構成についての説明は省略する。
【００６１】
図１４、１５に示すように、実施の形態２のフィン被覆部４は、線状突出部６を有していない。すなわち、フィン被覆部４は、平面板状であり、そこに通気口５がフィン被覆部４の鉛直方向に沿って複数個所に分けて形成されている。フィン被覆部４は、通気口５の近傍に、実施の形態１と同様にサイドプレート１９ｅをネジ固定するための固定孔７を有している。
【符号の説明】
【００６２】
１  第２外装パネル部品、２  側面パネル部、２ａ  開口部、２ｂ  開口部、３  背面パネル部、４  フィン被覆部、５  通気口、６  線状突出部、７  固定孔、８  空間、１０  外装パネル、１１  本体ベース、１２  第１外装パネル部品、１２ａ  前面パネル部、１２ｂ  側面パネル部、１３  上面パネル部品、１４  吹出口、１５  グリル、１６  保護カバー、１７  サービスパネル、１８  プロペラファン、１９  室外熱交換器、１９ａ  フィン、１９ａ１  一部のフィン、１９ｂ  伝熱管、１９ｃ  側縁部、１９ｄ  Ｕ字管、１９ｅ  サイドプレート、１９ｆ  固定孔、１９ｇ  変色箇所、２０  モーター取り付け台、２１  セパレーター、２２  圧縮機、１００  室外機、２００  室外機、２０４  固定用延伸部、２０７  固定孔。
【図１】
0006661782.tif 000002
【図２】
0006661782.tif 000003
【図３】
0006661782.tif 000004
【図４】
0006661782.tif 000005
【図５】
0006661782.tif 000006
【図６Ａ】
0006661782.tif 000007
【図６Ｂ】
0006661782.tif 000008
【図７】
0006661782.tif 000009
【図８】
0006661782.tif 000010
【図９】
0006661782.tif 000011
【図１０】
0006661782.tif 000012
【図１１】
0006661782.tif 000013
【図１２】
0006661782.tif 000014
【図１３】
0006661782.tif 000015
【図１４】
0006661782.tif 000016
【図１５】
0006661782.tif 000017